(57)【要約】【課題】  釣りの最中海中で仕掛けに接続する釣具が、障害物例えば海草や、石と石との隙間、岩礁地帯の窪み、捨石や乱グイ等に、絡まってロック状態で、釣り糸側の所定の引っ張りに反応して、仕掛けの釣具がロックのまま、釣り糸から外すのに使うための、安全で途中外れのない使い易い外れリンクにする事。【解決の手段】  弾性金属線材で数回巻きから選択された巻き数からなる密着巻きのコイル状外れリンク体１であって、これらの外れリンク体１を二つ直線状に並列し、片方の外れリンク体１に釣具Ａの引っ掛け部Ａａを接続し、他方の外れリンク体１はサルカンＢの回転リングＢａや釣り糸Ｃ側に設け、魚釣りで不測に起こる釣具Ａの障害物とのロック状況が、釣り糸Ｃ側の所定の引っ張り力で、ロックでの引っ張りから開放可能な構成にする。【選択図】図１
2008271936.tif 000002
【特許請求の範囲】
【請求項１】
弾性金属線材で数回巻きから選択された巻き数からなる密着巻きのコイル状外れリンク体において、二つの外れリンク体（１）を一直線上に並列し、片方の外れリンク体（１）に釣具（Ａ）の引っ掛け部（Ａａ）を接続し、他方の外れリンク体（１）はサルカン（Ｂ）の回転リング（Ｂａ）や釣り糸（Ｃ）に接続し釣り竿側に設け、魚釣りで不測に起こる釣具（Ａ）の障害物とのロック状況が、釣り糸（Ｃ）側の所定の引っ張り力で、二つの外れリンク体（１）がそれぞれ応答してほどかさ吊るされた釣具（Ａ）が切り離され、ロックでの引っ張りから開放可能にしたことを特徴とする、過荷重外れ連結具。
【請求項２】
前記する弾性金属線材で二つのコイル状外れリンク体（１）をクリップ形状の外れリンク体（１ａ）にしたことを特徴とする請求項１記載の過荷重外れ連結具。
【請求項３】
前記する請求項１での弾性金属線材でなる二つの外れリンク体（１）を二分割にし、合成樹脂成形でなる中継体（２）の両サイドの側面（３）にそれぞれを一体化したことを特徴とする請求項１記載の過荷重外れ連結具。
【請求項４】
前記する並列でなる二つの外れリンク体（１）の片方をクローズリンク体（１０１）にし、外れリンク体（１）には釣具（Ａ）」に具備する引っ掛け部（Ａａ）を接続し片方のクローズリンク体（１０１）には釣り糸（Ｃ）を結び付け可能にしたことを特徴とする、請求項１、２または請求項３記載の過荷重外れ連結具。
【請求項５】
一片の合成樹脂成形でなる本体（４）の両端平面に止め孔（５）を開口し、片方の止め孔（５）にスナップ（Ｄ）を介在し、釣具（Ａ）に具備する引っ掛け部（Ａａ）を接続し、他方の止め孔（５）には釣り糸（Ｃ）を結び付け釣り竿側に接続し、魚釣りで不測に起こる釣具（Ａ）の障害物でのロック状況が、釣り糸（Ｃ）の所定の引っ張り力で、本体（４）が応答してちぎれ、引っ張りから開放可能にしたことを特徴とする、過荷重切断連結具。
【請求項６】
前記する本体（４）の長手方向の側面の一部に凹状の切り込み（４ａ）を入れ、引っ張りによるちぎれ部が切り込み（４ａ）に発生する様にしたことを特徴とする請求項５記載の過荷重切断連結具。
【請求項７】
前記する本体（４）の長手方向の側面から切り込んだスリット（６）を本体（４）に開口する止め孔（５）に接続したスリット孔（６ａ）でのクリップ状にしたことを特徴とする請求項５記載の過荷重切断連結具。
【発明の詳細な説明】
【技術分野】
【０００１】  本発明は、釣りに用いる釣具、例えばおもり、ルアー、釣り針、ビシ、コマセカゴ等に具備する引っ掛け部の持つ釣具全ての仕掛けに連結する為の改良された連結具に関し、詳しくは、これらの釣具が海底等で、障害物例えば海草、石と石との隙間、岩礁地帯の窪み、捨て石や乱グイ等に絡まり、挟まり込んでロックされ、釣り糸を強烈に引っ張っても、これらの魚具が障害物から離れない不測な事故に、所定の引っ張り力が働いた時にこれらの釣具を切り離すことの出来る過荷重外れ連結具に関する。
【背景技術】
【０００２】  この種の本発明に最も近い従来の技術として、出番番号、特願２００１−５７８８４７「外れリンク又はコネクタ」が開示されるが、これらの明細書には、金属弾性ワイヤー形成材料で、コイル一巻きでの西洋ナシ形状で、これらの小半円径部と大半円径部でなるフラットコイルは、その小半円径部は釣具のルアー本体に固定し、そのルアー本体はそれに設けた掛けがねに結ばれた釣り糸を介し釣り竿に接続され、そしてフラットコイルの西洋ナシ形状の大半円径部円周に沿うって、フラットコイルの両端子が相互に丸められ  仕上げられ、これらの大半円径部の重なるクロース部が支点となって、釣り針が吊るされ、ルアー本体と釣り針が係合する形態をとっている。【０００３】  そしてルアー釣りにおいて、海中でルアー本体の釣り針が不測に障害物に引っ掛かかりロックされる等で、釣り竿から吊るされた釣り糸に所定の引っ張力を付加する事で、この引っ張り力より僅かに小さな力のレベルで解かれるルアー本体と釣り針との間に接続した外れリンクの設定保持力から釣り針が切り離されることで、釣り糸に付加する引っ張り力で釣糸が切れたり、其の他の仕掛けに接続した数々の用具を損失すること無く保護する構成である。
【発明の開示】
【発明が解決しようとする課題】
【０００４】  しかしながら上記する従来技術の場合、ルアー釣りとして最も人気の高い魚スズキはヒットすると強烈なアタリで、大きな上下の合わせ引っ張りを繰り返す為、外れリンクは途中まで長く伸びたまま、変形強度に達し両端子が広く開きぱなしの形状に変形し、元の形状に戻らないまま、釣りが続行した時は、吊り下がって遊び回る釣り針がＹの字形状に開いた端子の隙から逆戻りし、ささいな障害物との接触で、脱落するなどの不安がある。【０００５】  また海中での障害物の多い所で使うルアー釣りでは岩礁の隙間に嵌り込んだルアーは、釣り糸の強引な引っ張りで、引っ張りに乗じて長く伸びながら除々に開く外れリンクの両端子はＹの字形状のまま嵌り込んだ岩礁が両端子の広がりを抵抗阻止するロック状態で、岩礁に絡まった釣り針が分離に困難するなどの幾つかの課題を残す
【課題を解決する為の手段】
【０００６】この発明はかかる課題を解決する為に、請求項１の発明を図１（ａ）で述べる様に、弾性金属線材で数回巻きから選択された巻き数からなる、密着巻きのコイル状外れリンク体１であって、これらの外れリンク体１を二つ並列し、片方の外れリンク体１に釣具Ａの引っ掛け部Ａａを接続し、他方の外れリンク体１は、サルカンＢや釣り糸Ｃに接続し、釣り竿側に設け、魚釣りで不測に起こる釣具Ａの障害物とのロック状況が、釣り糸に付加する所定の引っ張り力で、二つの外れリンク体１がそれぞれ応答してほどかされ、吊るされた釣り具Ａが切り離され、ロックでの引っ張りから開放される構成とする。
【０００７】  また請求項２の発明を図１（ｂ）で述べる様に前記する弾性金属線材でなる二つのコイル状外れリング体１をフラットコイルでの、クリップ形状の外れリング体１ａの構成とする。次ぎにまた、本発明の請求項３は図２で述べる様に、前記する請求項１での発明での二つの外れリンク体１を二分割にし、合成樹脂成形でなる棒状の中継体２の両サイドの側面３にそれぞれを差し込んだ一体化での構成とする。    次ぎにまた、本発明での請求項４は図３、図４、図５、で述べる様に、並列する二つの外れリンクの片方をクローズリンク体１０１にし、外れリンク体１に釣具Ａの引っ掛け部Ａａを接続し、他方のクローズリンク体１０１には釣り糸Ｃを結び付ける仕掛けを構成可能にした構成とする。
次にまた、本発明での請求項５は図６で述べる様に、一片の合成樹脂成形でなる本体４の両端平面に止め孔５を開口し、片方の止め孔５にスナップＤを介しそれに、釣具Ａの引っ掛け部Ａａを接続し、他方の止め孔５には釣り糸Ｃを結び付け釣り竿側に接続し、魚釣りで不測に起こる釣具Ａの障害物でのロック状況が、釣り糸Ｃの所定の引っ張り力で、本体４が応答してちぎれ、引っ張りから開放を可能にする構成である。    次ぎにまた、本発明での請求項６は図７で述べる様に、前記する本体４の長手方向の両側面の一部に凹状の切り込み４ａを入れ、引っ張りによるちぎれ部が切れ易くした切り込み４ａに発生可能にした構成とする。    次ぎにまた、本発明での請求項７は前記する本体４の長手方向の側面から切り込んだスリット６を本体４に開口する止め孔５に接続したスリット孔６ａにした構成とする。
【発明の効果】
【０００８】  本発明は上述の通り構成作用するので、請求項１での発明は海中で根がかりするおもり、ルアー本体と其の針、釣り針、ビシ、コマセカゴなどの釣具は、釣具と釣り糸側の間に接続する外れリンクが強烈な釣り糸の引っ張り力で、除除にほどかれることで釣具と釣り糸が分離させることの出来る、過荷重外れ連結具を提供出来る。    また請求項２での発明は、仕掛けでの作業が素手で比較的容易に着脱出来る、過荷重外れ連結具を提供出来る。また請求項３での発明は中継体を設けたことで、それをつかんで素早く手軽に作業のでき、外れリンクのほどけか抜けのダブル機能での、過荷重外れ連結具を提供出来る。    また請求項４での発明は、片方のリンクを端子を溶接での外れることのないクローズリンクにすることで、釣り糸に結ばれたクローズリンクは釣り糸側についたままで外れリンクがほどかれる、過荷重外れ連結具を提供出来る。    また請求項５、６項、７項での発明は、合成樹脂成形にした本体がちぎれることで釣具と釣り糸が分離させることが出来、更に刻印表示や着色別で切断荷重の識別の出来る商品性の高い過荷重切断連結具を提供出来る。
【０００９】  このようにコイル状での二つの外れリンク体または二つの止め孔での構造にし、釣具と釣り糸側を個別に結合出来ることで、海中で釣り糸に吊り下がった外れリンクが勝手に単独で空転したり、端子が開く事無く巻きほどける為、端子から釣具が逆戻りが進行し脱落することのない過荷重外れと切断連結具を提供できる。
【発明を実施するための最良の形態】
【００１０】  以下に図示の実施例に基づいて本発明を更に詳細に説明する。即ち図１（ａ）は本発明での第一実施例に基づく全体を示す斜視図で、断面が丸いバネ用の鋼線やステンレス線などの弾性金属線材で蜜着巻きの一巻きから二巻きでなるコイル状の二つの外れリンク体１を並列にしての、つるなし目がね式の外れリンク体１とするが、これらの蜜着巻きでのコイル仕様は巻き数を含め線径、輪の直径、材質などの選択に依って輪をほどく為の所定の荷重の大小が決定されることになる。【００１１】  そしてこれらの二つの外れリンク体１の双方の形態を実施例は同じにしているが、其の限りでなく、巻き数の違いと輪の直径違いが、其の外れリンク体１の解け終わるタイミングに格差を付ける事になるが、釣具Ａに外れリンク体１を付けたまま釣り糸Ｃを分離してフリーにする為の釣具Ａ側を片方より多い巻き数にする事で外れリンク体１は釣具Ａに巻き付いたまま片方の外れリンク体１が先にほどける事になる等の構成でも良い。【００１２】  これらの外れリンク体１の端子１ｂをおもり（釣具Ａ）の引っ掛け部Ａａに差し込み、密着するコイル間に割り込みながら外れリンク体１に吊り下げ、更に並列する他方の外れリンク体１の端子１ｂにサルカンＢが具備する回転リングＢａを差し込んで密着するコイル間に割り込み回動させながら係合させ、別の回転リングＢａに釣り竿〜伸びる釣り糸Ｃが結び付けられての構成を実施例では述べている。【００１３】  次ぎに図１（ｂ）は本発明での第二実施例に基づく要部斜視図で、前記する第一実施例でのコイル状の二つの外れリンク体１をクップ形状のフラットな、外れリンク体１ａにしたもので、これらのコイル状の巻き始めと巻き終わりの長く延びる二つの端子１ｂのそれぞれから釣具ＡとサルカンＢとが、差し込まれて接続する外れリンク体１ａに構成したもので、海中で釣具Ａが障害物にロックされ、釣り糸Ｃ側に引っ張り力が過剰に働くことで、外れリンク体１ａは反応し、二つの端子１ａが徐々に開き双方の端子１ａは切れ離される事で、釣り糸Ｃは引っ張りから開放される。【００１４】  次ぎに図２は本発明での第三実施例に基づく要部斜視図で、前記する第一実施例での並列する二つの外れリンク体１をニ分割にし、細長棒状の合成樹脂成形でなる中継体２の両サイドの側面３にそれぞれをインサートする等で一体化したもので、外れリンク体１の中継体２へのインサート部の端子は、抜け止め環１ｃを設ける等で釣り糸Ｃ側の引っ張りに絶え、外れリンク体１がほどける構成を本実施例は示すが、インサート部をストレートにし、外れリンク体１のほどける前に、引っ張りに反応して抜ける等の構成でも良いし、或いは中継体２の合成樹脂成形材を伸縮性でなるポリウレタン樹脂等にして、釣り針との組み合わせでの外れリンク体１にすることで、魚のアタリ合わせにクッション性を持たせる等の新機能を加味しても良い。【００１５】  次ぎに図３、図４、図５、は本発明での第四実施例に基づく要部斜視図で、前記する二つの並列する外れリンク体１の片方を一巻き環状でなるクローズリンク体１０１にし、これらの片方の外れリンク体１には着脱自在に釣具Ａが接続され、他方には釣り糸Ｃが結ばれ、釣り竿側に連結する構成とし、海中で障害物にロックされた釣具Ａ側が釣り竿側の引っ張り力でほどかれ、開放された釣り糸Ｃに過荷重外れ連結具が荷重となって吊るされることで、海中での釣り糸Ｃのふらつきを防止する構成としている。これらの構成での図３は第一実施例をベースにし、図４は第二実施例をベースでにし、図５は第三実施例をベースにしての、それぞれにクローズリンク体１０１を並列しての形態である。【００１６】  次ぎに図６は本発明での第五実施例に基づく要部斜視図で、一片の合成樹脂成形でなる本体４の両端平面に止め孔５を開口し、片方の止め孔５にスナップＤを係止し、これらのスナップＤに釣具Ａに具備する引っ掛け部Ａａが接続され、他方の止め孔５には釣り糸Ｃを結び付け釣り竿側に接続し、魚釣りで不測に起こる釣具Ａの障害物でのロック状況が、釣り糸Ｃの所定の引っ張り力で、本体４が応答してちぎれ、引っ張りから開放する構成とし、これらはオール樹脂材でパワーヒューズ的な役割で、本体４の形状と合成樹脂の材質の選択で、ちぎれ（切断）強度が決定される。そして本体４表面にはちぎれ強度表示や樹脂色でもって、本体４の強度識別を可能な構成にしている。【００１７】  次ぎに図７は本発明での第六実施例に基づく要部斜視図で、前記する本体４の長手方向のちぎれ個所を固定する為の切り込み４ａを本体４の長手方向の両側面に設け、引っ張り時の荷重が切り込み４ａに集中させる切断個所を特定する構成である。【００１８】  次ぎに図８は本発明での第七実施例に基づく要部斜視図で、前記する本体４の長手方向の側面からきり込んだスリット６を本体４に開口する止め孔５に接続したスリット孔６ａにした構成とし、これらの弾力性のあるクリップ状のスリット６の先端を閉じる凸状を設ける等で、スリット６から差し込まれて止め孔５に接続する釣具ＡやサルカンＢの具備する回転リングＢａの抜け止め防止にするなども良い。また両止め孔５にきり込んだスリット６を片方の止め孔５だけにしても良い。【００１９】  このように数々の本発明での過荷外れと切断連結具のコイル状の外れリンク体１のほどけ荷重や本体４のちぎれ荷重の強弱は釣り糸Ｃの強度より大きい値に設定する事は出来ないのは当然で有ることから、用途に依って形態や外れ荷重等の選択の出来るバラエティーに富んだ発明品を具現化したものである。
【図面の簡単な説明】
【００２０】
【図１】  図中（ａ）は本発明に係わる第一実施での全体斜視図で、図中（ｂ）は第ニ実施例での要部の斜視図である。
【図２】  本発明に係わる第三実施例での要部の斜視図である。
【図３】  本発明に係わる第四実施例での要部の斜視図である。
【図４】  第四実施例での他の例での要部の斜視図である。
【図５】  第四実施例での他の例での要部の斜視図である。
【図６】  本発明に係わる第五実施例での要部の斜視図である。
【図７】  本発明に係わる第六実施例での要部の斜視図である。
【図８】  本発明に係わる第七実施例での要部の斜視図である。
【符合の説明】
【００２１】  Ａ      釣具
Ａａ    引つ掛け部
Ｂ      サルカン
Ｂａ    回転リング
Ｃ      釣り糸
Ｄ      スナップ
１、１ａ外れリンク
１０１  クローズリンク体
２      中継体
３      側面
４      本体
４ａ    切り込み
５      止め孔
６      スリット
６ａ    スリット孔
【図１】
2008271936.tif 000003
【図２】
2008271936.tif 000004
【図３】
2008271936.tif 000005
【図４】
2008271936.tif 000006
【図５】
2008271936.tif 000007
【図６】
2008271936.tif 000008
【図７】
2008271936.tif 000009
【図８】
2008271936.tif 000010